(57)【要約】      （修正有）【課題】ドラムに対して簡単、かつ、便利に取り付け及び取り外しが可能な着脱式電子ドラムを提供する。【解決手段】電子ドラムは、誘導板１０と、固定フレーム２０とを有する。誘導板は、ドラムヘッド１３と、接続部１１と、検出アセンブリとを有する。接続部は、外部音響装置に電気的に接続されるように適合される。検出アセンブリは、ドラムヘッドの下に取り付けられ、かつ、接続部に電気的に接続されて、ドラムヘッド上の打撃を検出し、音響信号を接続部に送信する。環状固定フレームは、誘導板の周囲に取り付けられ、環状ブラケット２１と、外側固定リブと、底部固定リブ２２２とを有する。環状ブラケットは、外周と、底部とを有する。外側固定リブは、環状ブラケットの外周から外向きに突出する。底部固定リブは、環状ブラケットの底部から突出する。【選択図】図１
2015203869.tif 000002
【特許請求の範囲】
【請求項１】
電子ドラムであって、
中央部分と前記中央部分を取り囲む周縁部とを有する主支持台座と、
前記主支持台座の前記中央部分に配置される打撃ユニットであって、前記打撃ユニットが、
回路基板と、
前記主支持台座の前記中央部分上に配置され、前記回路基板に電気的に接続される第１のセンサ要素と、
前記第１のセンサ要素の上に配置される振動共鳴部材と、
前記振動共鳴部材上に配置される１つ以上の振動減衰部材と、
前記１つ以上の振動減衰部材上に配置される金属板と、
前記金属板上に配置される弾性パッドと
を備える、打撃ユニットと、
前記打撃ユニットの上かつ周囲に配置されて、前記打撃ユニットが前記主支持台座と前記環状上蓋部との間に配置されるようにする環状上蓋部と、
前記主支持台座の前記周縁部に連結される環状弾性カラー部であって、前記電子ドラムが従来のドラムに取り付けられ、前記従来のドラムのドラムヘッドの上に配置されるときは、前記電子ドラムの他の部分が前記従来型の従来のドラムに接触しないように、前記従来のドラムのドラムフープに掛止するように構成される、環状弾性カラー部と
を備える、電子ドラム。
【請求項２】
前記環状弾性カラー部が、前記電子ドラムが外部機構なしで前記従来のドラムの前記ドラムヘッドの上へ着脱式に取り付け可能であるように構成される、請求項１に記載の電子ドラム。
【請求項３】
前記主支持台座が、前記主支持台座の第１の側面と、その前記第１の側面の反対側の前記主支持台座の第２の側面とを流体接続する少なくとも１つの第１の風口を備え、前記電子ドラムが前記従来のドラムの上に配置される場合、前記主支持台座の前記第１の側面が前記従来のドラムに面する、請求項１に記載の電子ドラム。
【請求項４】
前記環状上蓋部が、前記環状上蓋部の第１の側面と、その前記第１の側面の反対側の前記環状上蓋部の第２の側面とを流体接続する少なくとも１つの第２の風口を備え、前記環状上蓋部が前記主支持台座の上に配置される場合、前記環状上蓋部の前記第１の側面が前記主支持台座に面し、前記少なくとも１つの第２の風口のそれぞれが、前記少なくとも１つの第１の風口のうちの個別の１つに対応し、これと位置合わせされる、請求項３に記載の電子ドラム。
【請求項５】
前記第１のセンサ要素が、圧電センサを備える、請求項１に記載の電子ドラム。
【請求項６】
前記環状弾性カラー部が、ゴムまたはシリコーンから作製される、請求項１に記載の電子ドラム。
【請求項７】
前記弾性パッドが、ゴムまたはシリコーンから作製される、請求項１に記載の電子ドラム。
【請求項８】
前記金属板が、鉄から作製される、請求項１に記載の電子ドラム。
【請求項９】
前記１つ以上の振動減衰部材が、発泡体から作製される、請求項１に記載の電子ドラム。
【請求項１０】
前記振動共鳴部材が、プラスチックまたは金属から作製される、請求項１に記載の電子ドラム。
【請求項１１】
前記振動共鳴部材が、振動に対して共鳴するように構成され、前記振動共鳴部材が、
ハブ部分と、
前記ハブ部分から放射状に延出する複数の放射状部分と、
複数のらせん状部分とを備え、
前記らせん状部分のそれぞれが、前記放射状部分うちの個別の２つの間に配置され、それぞれを連結し、
前記放射状部分のそれぞれが、前記らせん状部分のうちの１つ以上によって、それぞれの隣接する前記放射状部分のうちの１つに連結される、請求項１に記載の電子ドラム。
【請求項１２】
前記振動共鳴部材の形状が、概して蜘蛛の巣状である、請求項１に記載の電子ドラム。
【請求項１３】
前記従来のドラムが、スネアドラム、トムトム、フロアタムまたはマーチングドラムを含む、請求項１に記載の電子ドラム。
【請求項１４】
前記主支持台座と前記環状上蓋部との間に配置される吊り輪をさらに備え、前記吊り輪が、前記弾性パッドおよび前記金属板を支持するように構成される、請求項１に記載の電子ドラム。
【請求項１５】
前記主支持台座の前記周縁部が、前記主支持台座の前記第２の側面上に溝を備える、請求項１に記載の電子ドラム。
【請求項１６】
前記溝内であって、前記環状弾性蓋部と前記主支持台座の前記周縁部との間に配置される第２のセンサ要素をさらに備え、前記第２のセンサが、前記回路基板に電気的に接続される、請求項１５に記載の電子ドラム。
【請求項１７】
前記第２のセンサ要素が、シートセンサを備える、請求項１６に記載の電子ドラム。
【請求項１８】
前記主支持台座と前記環状上蓋部とを互いに連結するように構成される機械的手段をさらに備える、請求項１に記載の電子ドラム。
【請求項１９】
前記機械的手段が、１つ以上のナットと、前記１つ以上のナットに対応する１つ以上のボルトとを備える、請求項１８に記載の電子ドラム。
【請求項２０】
電子ドラムであって、
中央部分と前記中央部分を取り囲む周縁部とを有する主支持台座と、
前記主支持台座の前記中央部分に配置される打撃ユニットであって、前記打撃ユニットが、
回路基板と、
前記主支持台座の前記中央部分上に配置され、前記回路基板に電気的に接続される第１のセンサ要素と、
前記第１のセンサ要素の上に配置される振動共鳴部材と、
前記振動共鳴部材上に配置される１つ以上の振動減衰部材と、
前記１つ以上の振動減衰部材上に配置される金属板と、
前記金属板上に配置される弾性パッドと
を備える、打撃ユニットと、
前記打撃ユニットの上かつ周囲に配置されて、前記打撃ユニットが前記主支持台座と前記環状上蓋部との間に配置されるようにする環状上蓋部と、
前記主支持台座の前記周縁部に連結される環状弾性カラー部であって、前記電子ドラムが従来のドラムに取り付けられ、前記従来のドラムのドラムヘッドの上に配置されるときは、前記電子ドラムの他の部分が前記従来型の従来のドラムに接触しないように、前記従来のドラムのドラムフープに掛止するように構成される、環状弾性カラー部とを備え、
前記主支持台座が、前記主支持台座の第１の側面と、その前記第１の側面の反対側の前記主支持台座の第２の側面とを流体接続する少なくとも１つの第１の風口を備え、前記電子ドラムが前記従来のドラムの上に配置される場合、前記主支持台座の前記第１の側面が前記従来のドラムに面し、
前記環状上蓋部が、前記環状上蓋部の第１の側面と、その前記第１の側面の反対側の前記環状上蓋部の第２の側面とを流体接続する少なくとも１つの第２の風口を備え、前記環状上蓋部が前記主支持台座の上に配置される場合、前記環状上蓋部の前記第１の側面が前記主支持台座に面し、前記少なくとも１つの第２の風口のそれぞれが、前記少なくとも１つの第１の風口のうちの個別の１つに対応し、これと位置合わせされる、電子ドラム。
【発明の詳細な説明】
【技術分野】
【０００１】
関連出願の相互参照
本願は、２０１２年７月５日出願の「着脱式電子ドラム」と題する米国特許出願第１３／５４１，８０１号の優先権を主張する一部継続出願であり、同出願は、参照により本明細書に援用される。
【０００２】
本開示は、電子ドラムに関し、より詳細には、ドラムに対して簡単かつ便利に取り付けおよび取り外しが可能な着脱式電子ドラムに関する。
【背景技術】
【０００３】
ジャズ用のトムトムなどのドラムは、普及しており、ポップス、ジャズ、ヘビーメタルあるいは交響曲で幅広く用いられている。図９を参照すると、従来のドラム８０は、中空の胴体と、２つの保持リム８２と、２つのドラムヘッド８１とを備える。ドラムヘッド８１は、それぞれ、胴体の２つの開口端上に保持リム８２でしっかりと取り付けられて、胴体の開口端をそれぞれ閉鎖する。ドラムヘッド８１のうちの一方が叩かれると、中空の胴体の共鳴により音響音が発生する。
【０００４】
図１０を参照すると、電子ドラムは、中実の誘導板９０と、センサ９１と、弾力性のあるドラムヘッド９２とを備える。ドラムヘッド９２は、ゴムなどの弾性材料から作製され、ドラムヘッド９２の下に、センサ９１が取り付けられる。ドラムヘッド９２が叩かれると、その打撃をセンサ９１が検出し、電子ドラムと電気的に接続されたスピーカまたはイヤホンに信号を送信して、スピーカまたはイヤホンから音響音を発生させる。
【発明の概要】
【発明が解決しようとする課題】
【０００５】
しかしながら、従来のドラムが発生させる音響音は、強くしっかりとしているが音量を調節できないので、従来のドラムの演奏が他者にとってうるさいものになりやすい。電子ドラムが発生させる音響音は調整可能であるが、従来のドラムが生み出す音のようには強くしっかりとしていない。したがって、ドラマーは、従来のドラムで音楽を演奏し、電子ドラムで練習する。しかしながら、音楽を演奏するにも練習するにも、様々な種類の複数の従来のドラムおよび電子ドラムが必要になる。使用者は、音楽を演奏したり練習したりするために、従来のドラムおよび電子ドラムをスタンドに取り付けたり、これから取り外したりしなければならず、このことは、手間と時間がかかり、使用が不便である。
【０００６】
加えて、米国特許第８，０３９，７２４号は、別の電子ドラムを開示するが、この７２４号特許の電子ドラムは、ドラムのドラムヘッドの下に取り付けられる。したがって、ドラムに対して電子ドラムを取り付けたり取り外すことは、手間と時間がかかる。
【０００７】
この欠点を解消するために、本開示は、前述の問題を軽減または解決するための電子ドラムを提供するものである。
【０００８】
本開示の主たる目的は、ドラムに対して簡単かつ便利に取り付けおよび取り外しが可能な着脱式電子ドラムを提供するものである。
【課題を解決するための手段】
【０００９】
電子ドラムは、誘導板と、固定フレームとを有する。誘導板は、ドラムヘッドと、接続部と、検出アセンブリとを有する。接続部は、外部音響装置に電気的に接続されるように適合される。検出アセンブリは、ドラムヘッドの下に取り付けられ、かつ接続部に電気的に接続されて、ドラムヘッド上の打撃を検出し、音響信号を接続部に送信する。環状固定フレームは、誘導板の周囲に取り付けられ、環状ブラケットと、外側固定リブと、底部固定リブとを有する。環状ブラケットは、外周と、底部とを有する。外側固定リブは、環状ブラケットの外周から外向きに突出する。底部固定リブは、環状ブラケットの底部から突出する。
【００１０】
本開示のその他の目的、利点および新規な特徴は、添付の図面と併せて、以下の詳細な説明を読めば、さらに明らかとなる。
【図面の簡単な説明】
【００１１】
【図１】本開示に係る電子ドラムの第１の実施形態を示す斜視図である。
【図２】図１の電子ドラムを示す底面斜視図である。
【図３】図１の電子ドラムを示す分解斜視図である。
【図４】本開示に係る電子ドラムの第２の実施形態を示す斜視図である。
【図５】ドラムに取り付けられた図１の電子ドラムを示す拡大横断側面図である。
【図６】ドラムに取り付けられた図４の電子ドラムを示す拡大横断側面図である。
【図７】ドラムに取り付けられた図１の電子ドラムを一部断面で示す側面図である。図７Ａは図７の電子ドラムを示す拡大横断側面図である。
【図８】本開示に係る電子ドラムの固定フレームの第３の実施形態を示す分解斜視図である。
【図９】従来技術に係る従来のドラムを示す斜視図である。
【図１０】従来技術に係る従来の電子ドラムを示す斜視図である。
【図１１】本開示に係る電子ドラムおよび従来のドラムの第４の実施形態のアセンブリを示す斜視図である。
【図１２】本開示に係る電子ドラムおよび音響ドラムの第４の実施形態のアセンブリを示す分解図である。
【図１３】本開示に係る電子ドラムおよび音響ドラムの第４の実施形態のアセンブリを示す別の分解図である。
【図１４】本開示に係る電子ドラムおよび音響ドラムの第４の実施形態のアセンブリを示す断面図である。
【図１５】図１４の部分拡大図である。
【図１６】本開示に係る電子ドラムの第４の実施形態を示す分解図である。
【図１７】本開示に係る電子ドラムの第４の実施形態を示す別の分解図である。
【図１８】本開示に係る電子ドラムの第４の実施形態上の風口の位置を示す図である。
【図１９】本開示に係る電子ドラムの第４の実施形態に電力を供給するための電源コードを示す図である。
【発明を実施するための形態】
【００１２】
図１〜図３を参照すると、本開示に係る電子ドラムは、誘導板１０と固定フレーム２０とを備える。
【００１３】
誘導板１０は、接続部１１と、ドラムヘッド１３と、検出アセンブリ１２とを有する。接続部１１は、スピーカまたはイヤホンなどの外部音響装置に電気的に接続されるように適合される。ドラムヘッド１３は、弾力性があり、ゴムで作製され得る。検出アセンブリ１２は、ドラムヘッド１３の下に取り付けられ、かつ接続部１１に電気的に接続されており、ドラムヘッド１３上の打撃を検出し、音響信号を接続部１１に送信する。好ましくは、検出アセンブリ１２は、金属円盤ク１２１と、センサチップ１２２とを備える。金属円盤１２１は、ドラムヘッド１３の下に取り付けられ、ドラムヘッド１３の反対側に底部を有する。センサチップ１２２は、金属円盤１２１の底部上に取り付けられて、金属円盤１２１の振動を検出し、接続部１１に電気的に接続されており、音響信号を接続部１１に送信する。
【００１４】
固定フレーム２０は、環状であり、誘導板１０の周囲に取り付けられ、環状ブラケット２１と、外側固定リブ２２と、底部固定リブ２２２とを備える。環状ブラケット２１は、誘導板１０に連結され、外周と、底部とを有する。外側固定リブ２２は、環状であり得、環状ブラケット２１の外周から外向きに突出し、底部固定リブ２２２は、環状であり得、環状ブラケット２１の底部から突出する。加えて、固定フレーム２０は、環状ブラケット２１の内周上に、間隔を置いて別個に形成され、そこから突出し、誘導板１０に連結される複数の連結パネル２３をさらに有し得る。あるいは、図４を参照すると、固定フレーム２０′は、環状ブラケット２１′の内周上に形成され、そこから突出し、誘導板１０に連結される環状連結板２３′をさらに有し得る。連結板２３′は、連結板２３′を通して形成される複数の通気口２４′を有する。加えて、図５を参照すると、固定フレーム２０は、環状ブラケット２１および外側固定リブ２２の周囲に取り付けられる環状弾性カラー部２５をさらに有する。図６を参照すると、環状弾性カラー部２５′は、環状弾性カラー部２５′の底部上に形成され、そこから下向きに突出する環状壁部２５１を有する。
【００１５】
図１、図７および図７Ａを参照すると、電子ドラムをドラム８０上に取り付けるために、固定フレーム２０の環状ブラケット２１は、ドラム８０の保持リム８２に取り付けられている。外側固定リブ２２および底部固定リブ２２２は、それぞれ、保持リム８２の頂部および内周に当接して、誘導板１０が、ドラム８０のドラムヘッド８１の上にしっかりと保持され得るようにする。誘導板１０が叩かれると、センサチップ１２２は、金属板１２１の振動を検出して、音響信号を接続部１１に送信し得る。次いで、接続部１１は、信号を送信し、スピーカまたはイヤホンなどの外部音響装置を作動させて、音響音を発生させ得る。外部音響装置によって発生する音量は、調整可能であるため、本開示に係る電子ドラムで使用者が練習する間、他者がうるさく感じることのないようにし得る。保持リム８２の内周に当接する底部固定リブ２２２の配置により、誘導板１０の位置が偏移しないようにされ得る。外側固定リブ２２の配置により、固定フレーム２０は、異なる寸法の異なる保持リム８２を有する異なるドラム８０の上にしっかりと取り付けられ、またこれに嵌合する。
【００１６】
加えて、ドラム８０の保持リム８２が突出するフランジ部８２１を常に有することから、固定フレーム２０は、突出するフランジ部８２１の上に取り付けられて、誘導板１０がドラム８０のドラムヘッド８１から離間し得るようにする。したがって、ドラム８０のドラムヘッド８１は、使用者が誘導板１０を叩く間、ドラム８０が音響音を発生させないようにするために、振動しない。
【００１７】
さらに、図３に示されるような分離した連結パネル２３では、連結パネル２３の間に複数の間隔２４が形成されて、誘導板１０とドラム８０のドラムヘッド８１との間の空間が、囲まれたり密閉されたりしないようにする。このようにして、誘導板１０が叩かれる間、誘導板１０とドラム８０のドラムヘッド８１との間の空間にある空気は圧縮されず、ドラム８０が音響音をほぼ発生させないようにし得る。
【００１８】
図４に示されるような環状連結板２３′は、環状ブラケット２１′と誘導板１０との間の連結面積を増大して、環状ブラケット２１′と誘導板１０との間の連結強度が効率的に改善されるように得る。連結板２３′にある通気口２４′もまた、誘導板１０とドラム８０のドラムヘッド８１との間の空間にある空気が圧縮されたり振動したりするのを防いで、ドラム８０が音響音をほぼ発生させないようにし得る。
【００１９】
環状弾性カラー部２５′上の環状壁部２５１は、ドラム８０上の保持リム８２の突出するフランジ部８２１の周囲に取り付けられて、突出するフランジ部８２１を底部固定リブ２２と環状壁部２５１との間に保持して、本開示に係る電子ドラムの偏移がほぼ阻止され得るようにする。
【００２０】
このようにして、電子ドラムは、ドラム８０に対して簡単かつ便利に取り付けたり取り外したりされ得るため、音楽を演奏したり練習したりするために、複数のドラムおよび電子ドラムをスタンドに取り付けたり、これから取り外したりする必要はないことから、本開示に係る電子ドラムを用いることは便利である。
【００２１】
図８を参照すると、固定フレーム２０″は、この固定フレーム２０″に取り付けられ、接続部１１″の回路基板１１２に電気的に接続される２つのメンブレンスイッチ２６をさらに有する。好ましくは、各メンブレンスイッチ２６は、湾曲しており、曲率が１８０°である。メンブレンスイッチ２６がある状態で、固定フレーム２０″が叩かれると、メンブレンスイッチ２６は、固定フレーム２０″の振動を検出し、音響信号を接続部１１″に送信して、外部音響装置を作動して、音響音を発生させる。その結果、使用者は、固定フレーム２０″を叩いて、ドラムリム上を叩く動作をシミュレーションすることができるため、本開示に係る電子ドラムは使用用途が広い。
【００２２】
図１１から図１５は、本開示に係る電子ドラム２００および従来のドラム１００の第４の実施形態のアセンブリ３００の様々な図を示す。
【００２３】
図１４および図１５に示されるように、従来のドラム１００は、ドラムフープ１０１と、ドラムヘッド１０２とを含む。従来のドラム１００は、例えば、スネアドラム、トムトム、フロアタムまたはマーチングドラムであってよい。換言すると、従来のドラム１００は、任意のサイズの音響ドラムであってよい。電子ドラム２００は、従来のドラム１００上に嵌るように、適宜寸法決めされ得る。図１１から図１５に示されるように、電子ドラム２００は、従来のドラム１００のドラムヘッド１０２の上へ着脱式に取り付け可能であるように構成される。有利なことに、提案されている本開示の設計によって、電子ドラム２００を従来のドラム１００の２つのドラムヘッドのうちの一方の上に取り付け、連結またはその他の方法で装着することにより、従来のドラム１００のいかなる部分も分解する必要なしに、あるいは電子ドラム２００を従来のドラム１００上に取り付けるための追加機構を取り付ける必要なしに、使用者は、従来のドラム１００を音響ドラムからデジタルの非音響ドラムに変換できる。加えて、提案されている本開示の設計によって、従来のドラム１００からいかなる部分も取り除く必要なしに、使用者は、電子ドラム２００を従来のドラム１００から取り除くまたはその他の方法で取り外すことができる。
【００２４】
図１４および図１５に示されるように、電子ドラム２００は、限定されるものではないが、環状弾性カラー部２０１と、主支持台座２０２と、主支持台座２０２のための環状上蓋部２０３と、弾性パッド２０４と、金属板２０５と、１つ以上の振動減衰部材２０６と、振動共鳴部材２０７と、縁部センサ要素２０９と、１つ以上のナット２１２と、１つ以上のボルト２１３とを含む、いくつかの構成要素を含む。環状弾性カラー部２０１は、電子ドラム２００が従来のドラム１００のドラムヘッド１０２の上に取り付けられる、またはその他の方法で装着される場合、従来のドラム１００のドラムフープ１０１に引っ掛かる、またはその他の方法で掛止するように形成かつ構成される。図１４および図１５に示されるように、環状弾性カラー部２０１の下部の断面図は、フックに似ている。このことにより、電子ドラム２００が従来のドラム１００に対して取り付けおよび取り外し可能になり、その際、それぞれ、取り付けのために従来のドラム１００のいかなる部分も分解したり、取り外しのために追加機構を取り付けたりせずともよい。
【００２５】
図１５に示されるように、電子ドラム２００が、従来のドラム１００のドラムヘッド１０２の上に取り付けまたはその他の方法で装着された場合、電子ドラム２００の環状弾性カラー部２０１以外の他のどの部分も従来のドラム１００に物理的に接触しない。より具体的には、電子ドラム２００が、従来のドラム１００のドラムヘッド１０２の上に取り付けまたはその他の方法で装着された場合、電子ドラム２００の環状弾性カラー部２０１は、従来のドラム１００のドラムフープ１０１に物理的に接触する。つまり、電子ドラム２００の主要部分は、従来のドラム１００のドラムヘッド１０２の上に懸架され、かつこれと接触しない。この設計により、電子ドラム２００が従来のドラム１００のドラムヘッド１０２に接触して、電子ドラム２００の使用中に（例えば、使用者によって叩かれる）音が発生することが避けられる。
【００２６】
図１６および図１７は、本開示に係る電子ドラム２００を示す。
【００２７】
図１６および図１７に示されるように、電子ドラム２００は、環状弾性カラー部２０１と、主支持台座２０２と、主支持台座２０２のための環状上蓋部２０３と、弾性パッド２０４と、金属板２０５と、１つ以上の振動減衰部材２０６と、振動共鳴部材２０７と、弾性パッド２０４および金属板２０５のための吊り輪２０８と、縁部センサ要素２０９と、中央センサ要素２１０と、回路基板２１１と、１つ以上のナット２１２と、１つ以上のボルト２１３と、回路基板２１１を主支持台座２０２に固定するための１つ以上のねじ２１４と、中央センサ要素２１０および回路基板２１１を連結するケーブル配線２１５と、縁部センサ要素２０９および回路基板２１１を連結するケーブル配線２１６とを含む。
【００２８】
一部の実施形態では、環状弾性カラー部２０１は、例えば、ゴムまたはシリコーンなどの弾性材料から作製され得る。一部の実施形態では、主支持台座２０２は、プラスチックから作製され得る。一部の実施形態では、弾性パッド２０４は、例えば、シリコーンまたはゴムなどの弾性材料から作製され得る。一部の実施形態では、金属板２０５は、鉄から作製され得る。一部の実施形態では、１つ以上の振動減衰部材２０６は、例えば、発泡体またはシリコーンなどの弾性材料から作製され得る。一部の実施形態では、振動共鳴部材２０７は、プラスチックまたは金属から作製され得る。一部の実施形態では、縁部センサ要素２０９および中央センサ要素２１０のいずれか一方または両方は、圧電センサであってよい。一部の実施形態では、縁部センサ要素２０９は、シートセンサであってよい。
【００２９】
一部の実施形態では、振動共鳴部材２０７の形状は、概して蜘蛛の巣状であってよい。例えば、振動共鳴部材２０７は、ハブ部分と、ハブ部分から放射状に延出する複数の放射状部分と、複数のらせん状部分とを含み得る。らせん状部分のそれぞれは、放射状部分うちの個別の２つの間に配置され、それぞれを連結し得る。放射状部分のそれぞれは、らせん状部分のうちの１つ以上によって、それぞれの隣接する放射状部分のうちの１つに連結され得る。
【００３０】
図１８は、本開示に係る電子ドラム２００の風口の位置を示す。
【００３１】
主支持台座２０２および環状上蓋部２０３のそれぞれが、１つ以上の風口をそれぞれ含む。図１８に示される例では、支持台座２０２は、２つの風口２２０を含み、環状上蓋部２０３は、風口２２０に対応し、これと位置合わせされた２つの風口２３０を含む。電子ドラム２００と従来のドラム１００のドラムヘッド１０２との間に捉えられた空気は、風口２２０および２３０を通って解放され得る。この場合もやはり、この設計もまた、電子ドラム２００の使用中に（例えば、使用者によって叩かれる）、電子ドラム２００の打撃が、従来のドラム１００のドラムヘッド１０２に、それらの間に捉えられた空気に起因して音が発生するのを阻止する。
【００３２】
図１８には２つの風口２２０および２つの風口２３０が示されているが、様々な実施形態では、主支持台座２０２が、異なる（多いまたは少ない）数の風口２２０を有し得、また環状上蓋部２０３が、異なる（多いまたは少ない）数の風口２３０を有し得ることを当業者であれば理解するであろう。さらに、様々な実施形態では、各風口２２０の位置および各風口２３０の位置は、図１８に示されているものとは異なっていてもよい。
【００３３】
図１９は、本開示に係る電子ドラム２００に電力を供給するための電源コード２５０を示す。図１９に示されるように、電源コード２５０は、回路基板２１１上のレセプタクル内に差し込まれて、回路基板２１１および作動に電力を要するその他の電子ドラム２００の構成要素（例えば、縁部センサ要素２０９および中央センサ要素２１０）に電力を供給し得る。
【００３４】
上記を考慮して、電子ドラム２００の発明の特徴の主要部分が以下に提供される。一態様では、本開示に係る電子ドラムは、主支持台座と、打撃ユニットと、環状上蓋部と、環状弾性カラー部とを含み得る。主支持台座は、中央部分と、中央部分を取り囲む周縁部とを含み得る。打撃ユニットは、主支持台座の中央部分に配置され得る。打撃ユニットは、回路基板と、主支持台座の中央部分上に配置され、回路基板に電気的に接続される第１のセンサ要素と、第１のセンサ要素の上に配置される振動共鳴部材と、振動共鳴部材上に配置される１つ以上の振動減衰部材と、１つ以上の振動減衰部材上に配置される金属板と、金属板上に配置される弾性パッドとを含む、いくつかの構成要素を含み得る。環状上蓋部は、打撃ユニットの上かつ周囲に配置されて、打撃ユニットが、主支持台座と環状上蓋部との間に配置されるようにする。環状弾性カラー部は、主支持台座の周縁部に連結され得る。環状弾性カラー部は、電子ドラムが従来のドラムに取り付けられ、従来のドラムのドラムヘッドの上に配置されるときは、電子ドラムの他の部分が従来型の従来のドラムに接触しないように、従来のドラムのドラムフープに掛止するように構成される。
【００３５】
一部の実施形態では、環状弾性カラー部は、電子ドラムが外部機構なしで従来のドラムのドラムヘッドの上へ着脱式に取り付け可能であるようにさらに構成され得る。
【００３６】
一部の実施形態では、主支持台座は、主支持台座の第１の側面と、その第１の側面の反対側の主支持台座の第２の側面とを流体接続する少なくとも１つの第１の風口を含み得る。電子ドラムが従来のドラムの上に配置される場合、主支持台座の第１の側面は、従来のドラムに面し得る。加えて、環状上蓋部は、環状上蓋部の第１の側面と、その第１の側面の反対側の環状上蓋部の第２の側面とを流体接続する少なくとも１つの第２の風口を含み得る。環状上蓋部が主支持台座の上に配置される場合、環状上蓋部の第１の側面は、主支持台座に面し得る。少なくとも１つの第２の風口のそれぞれは、少なくとも１つの第１の風口のうちの個別の１つに対応し、これと位置合わせされ得る。
【００３７】
一部の実施形態では、第１のセンサ要素は、圧電センサを含み得る。
【００３８】
一部の実施形態では、環状弾性カラー部は、ゴムまたはシリコーンから作製され得る。
【００３９】
一部の実施形態では、弾性パッドは、ゴムまたはシリコーンから作製され得る。
【００４０】
一部の実施形態では、金属板は、鉄から作製され得る。
【００４１】
一部の実施形態では、１つ以上の振動減衰部材は、発泡体から作製され得る。
【００４２】
一部の実施形態では、振動共鳴部材は、プラスチックまたは金属から作製され得る。
【００４３】
一部の実施形態では、振動共鳴部材は、振動に対して共鳴するように構成され得る。振動共鳴部材は、ハブ部分と、ハブ部分から放射状に延出する複数の放射状部分と、複数のらせん状部分とを含み得る。らせん状部分のそれぞれは、放射状部分うちの個別の２つの間に配置され、それぞれを連結し得る。放射状部分のそれぞれは、らせん状部分のうちの１つ以上によって、それぞれの隣接する放射状部分のうちの１つに連結され得る。
【００４４】
一部の実施形態では、振動共鳴部材の形状は、概して蜘蛛の巣状であってよい。
【００４５】
一部の実施形態では、従来のドラムは、スネアドラム、トムトム、フロアタムまたはマーチングドラムであってよい。
【００４６】
一部の実施形態では、電子ドラムは、主支持台座と環状上蓋部との間に配置される吊り輪をさらに含み得る。吊り輪は、弾性パッドおよび金属板を支持するように構成され得る。
【００４７】
一部の実施形態では、主支持台座の周縁部は、主支持台座の第２の側面上に溝を含み得る。加えて、電子ドラムは、溝内であって、環状弾性蓋部と主支持台座の周縁部との間に配置される第２のセンサ要素をさらに含み得る。第２のセンサは、回路基板に電気的に接続され得る。
【００４８】
一部の実施形態では、第２のセンサ要素は、シートセンサを含み得る。
【００４９】
一部の実施形態では、電子ドラムは、主支持台座と環状上蓋部とを互いに連結するように構成される機械的手段をさらに含み得る。一部の実施形態では、機械的手段は、１つ以上のナットと、１つ以上のナットに対応する１つ以上のボルトとを含み得る。
【００５０】
上記の説明において、本開示の構造および機能の詳細と共に、本開示の特徴および利点を多く説明したが、本開示は例示にすぎず、添付の特許請求の範囲を表す用語の広範かつ一般的な意味によって示される限り、本開示の原理内において、特に、部品の形状、寸法、および配置に関して、詳細に変更が行われてもよい。
【図１】
2015203869.tif 000003
【図２】
2015203869.tif 000004
【図３】
2015203869.tif 000005
【図４】
2015203869.tif 000006
【図５】
2015203869.tif 000007
【図６】
2015203869.tif 000008
【図７】
2015203869.tif 000009
【図８】
2015203869.tif 000010
【図９】
2015203869.tif 000011
【図１０】
2015203869.tif 000012
【図１１】
2015203869.tif 000013
【図１２】
2015203869.tif 000014
【図１３】
2015203869.tif 000015
【図１４】
2015203869.tif 000016
【図１５】
2015203869.tif 000017
【図１６】
2015203869.tif 000018
【図１７】
2015203869.tif 000019
【図１８】
2015203869.tif 000020
【図１９】
2015203869.tif 000021
【外国語明細書】
2015203869000001.pdf